【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
複数の無線通信装置が相互にビーコンを送信するアドホックネットワークシステムを構成する無線通信装置であって、
自己が送信するビーコンのビーコンピリオド上の位置に対応するビーコンピリオドスロット番号を含む第１アドレス、および第２アドレスを生成するアドレス処理部と、
前記アドレス処理部によって生成された第２アドレスが他の無線通信装置における第２アドレスと一致するか否かを判定するビーコン処理部と、
前記アドレス処理部によって生成された第１アドレスおよび第２アドレスのいずれか一方を使用してフレームを他の無線通信装置に送信する送信部と、
を有する無線通信装置。
【請求項２】
前記ビーコンピリオドスロット番号は、前記複数の無線通信装置が送信するビーコンの送信順序から導かれる、
請求項１記載の無線通信装置。
【請求項３】
前記アドレス処理部は、
前記アドレス処理部によって生成された第２アドレスが前記他の無線通信装置における第２アドレスと一致するとビーコン処理部により判定された場合、前記第２アドレスの再割り当てを行う、
請求項１記載の無線通信装置。
【請求項４】
前記アドレス処理部によって生成された第２アドレスを自己のアドレスとして前記他の無線通信装置へフレーム送信をしている場合において、前記アドレス処理部によって生成された第２アドレスが前記他の無線通信装置における第２アドレスと一致すると前記ビーコン処理部により判定されたときに、前記自己のアドレスを、前記アドレス処理部によって生成された第１アドレスに切り替え、前記アドレス処理部によって前記第２アドレスの再割り当てが完了した後に、前記自己のアドレスを、再割り当て後の第２アドレスに切り替えるアドレス決定部、
をさらに有する請求項３記載の無線通信装置。
【請求項５】
前記他の無線通信装置の前記アドレス処理部によって生成された第２アドレスを当該無線通信装置の自己のアドレスとして前記他の無線通信装置へフレームを送信している場合において、前記他の無線通信装置の前記アドレス処理部によって生成された第２アドレスが別の前記他の無線通信装置における第２アドレスと一致すると前記ビーコン処理部により判定されたときに、前記自己のアドレスを、当該無線通信装置の前記アドレス処理部によって生成された第１アドレスに切り替え、当該無線通信装置の前記アドレス処理部によって前記第２アドレスの再割り当てが完了した後に、前記自己のアドレスを、再割り当て後の第２アドレスに切り替えるアドレス決定部、
をさらに有する請求項３記載の無線通信装置。
【請求項６】
前記再割り当て後の第２アドレスは、前記第１アドレスに含まれるビーコンピリオドスロット番号以外の部分を、前記第１アドレスにおける位置と同じ位置に含む、
請求項３記載の無線通信装置。
【請求項７】
複数の無線通信装置が相互にビーコンを送信するアドホックネットワークシステムを構成する無線通信装置であって、
他の無線通信装置によって送信されたアドレスを含むフレームを受信する受信部と、
自己が送信するビーコンのビーコンピリオド上の位置に対応するビーコンピリオドスロット番号を含む第１アドレス、および第２アドレスを自己のＩＤとして有し、前記受信部によって受信されたフレームに含まれるアドレスが、前記自己のＩＤとしての第１アドレスおよび第２アドレスのいずれかと一致するか否かを判定するアドレス判定部と、
自己または他者が有する第２アドレスが前記他の無線通信装置における第２アドレスと一致するか否かを判定するビーコン処理部と、
を有する無線通信装置。
【請求項８】
前記アドレス判定部は、
複数の前記他の無線通信装置が有する第２アドレスが一致しているとき、一致する第２アドレスを有するそれら複数の前記他の無線通信装置のうち少なくとも１つに対して前記第１アドレスを用いて送受信を行う、
請求項７記載の無線通信装置。
【請求項９】
前記アドレス判定部は、
自己または他者が有する第２アドレスが前記他の無線通信装置における第２アドレスと一致すると前記ビーコン処理部により判定された場合、前記第２アドレスの再割り当てを行い、現在の第２アドレスを再割り当て後の第２アドレスに書き替える、
請求項７記載の無線通信装置。
【請求項１０】
前記再割り当て後の第２アドレスは、前記第１アドレスに含まれるビーコンピリオドスロット番号以外の部分を、前記第１アドレスにおける位置と同じ位置に含む、
請求項９記載の無線通信装置。
【請求項１１】
前記第２アドレスは、ランダムに割り当てられる、
請求項１または請求項７記載の無線通信装置。
【請求項１２】
複数の無線通信装置が相互にビーコンを送信するアドホックネットワークシステムを構成する無線通信システムであって、
前記無線通信システムは、第１の無線通信装置と、第２の無線通信装置と、を具備しており、
前記第１の無線通信装置は、
前記第１の無線通信装置が送信するビーコンのビーコン上の位置に対応するビーコンピリオドスロット番号を含む第１アドレス、および、ランダムに割り当てられる第２アドレスを生成するアドレス処理部と、
前記アドレス処理部によって生成された第２アドレスが前記第２の無線通信装置における第２アドレスと一致するか否かを判定する第１ビーコン処理部と、
前記アドレス処理部によって生成された第１アドレスおよび第２アドレスのいずれか一方を使用してフレームを前記第２の無線通信装置に送信する送信部と、
を有し、
前記第２の無線通信装置は、
前記第１の無線通信装置によって送信されたアドレスを含むフレームを受信する受信部と、
自己が送信するビーコンのビーコンピリオド上の位置に対応するビーコンピリオドスロット番号を含む第１アドレス、および、ランダムに割り当てられる第２アドレスを自己のＩＤとして有し、前記受信部によって受信されたフレームに含まれるアドレスが、前記自己のＩＤとしての第１アドレスおよび第２アドレスのいずれかと一致するか否かを判定するアドレス判定部と、
自己または他者が有する第２アドレスが前記第１の無線通信装置における第２アドレスと一致するか否かを判定する第２ビーコン処理部と、
を有する無線通信システム。
【請求項１３】
複数の無線通信装置が相互にビーコンを送信するアドホックネットワークシステムにおける無線通信方法であって、
自己が送信するビーコンのビーコンピリオド上の位置に対応するビーコンピリオドスロット番号を含む第１アドレス、および、ランダムに割り当てられる第２アドレスを生成するアドレス生成ステップと、
前記アドレス生成ステップで生成した第２アドレスが他の無線通信装置における第２アドレスと一致するか否かを判定する判定ステップと、
自己または他者において前記アドレス生成ステップで生成した第１アドレスおよび第２アドレスのいずれか一方を使用してフレームを前記他の無線通信装置に送信する送信ステップと、
を有する無線通信方法。
【請求項１４】
複数の無線通信装置が相互にビーコンを送信するアドホックネットワークシステムにおける無線通信方法であって、
他の無線通信装置によって送信されたアドレスを含むフレームを受信する受信ステップと、
自己が送信するビーコンのビーコンピリオド上の位置に対応するビーコンピリオドスロット番号を含む第１アドレス、および、ランダムに割り当てられる第２アドレスを自己のＩＤとして有し、前記受信ステップで受信したフレームに含まれるアドレスが、前記自己のＩＤとしての第１アドレスおよび第２アドレスのいずれかと一致するか否かを判定するアドレス判定ステップと、
自己または他者が有する第２アドレスが前記他の無線通信装置における第２アドレスと一致するか否かを判定する重複判定ステップと、
を有する無線通信方法。